【事件の表示】
　特願２００１−１７９３２２「オーブントースタ」拒絶査定不服審判事件〔平成１４年１２月２６日出願公開、特開２００２−３７２２４６〕について、次のとおり審決する。
【結　論】
　本件審判の請求は、成り立たない。
【理　由】
１．手続の経緯
　本願は、平成１３年６月１３日の出願であって、平成１６年１１月２９日付で拒絶査定がなされ、これに対し、平成１７年１月６日に拒絶査定に対する審判請求がなされるとともに、同年２月３日付で手続補正がなされたものである。
　
２．平成１７年２月３日付の手続補正についての補正却下の決定
［補正却下の決定の結論］                                          
　平成１７年２月３日付の手続補正を却下する。
［理由］
（１）補正後の本願発明
　本件補正により、補正前の特許請求の範囲（平成１６年７月２日付の手続補正で補正された明細書に記載のもの）の
「【請求項１】　ケースの前面にドアが開閉自在に取り付けられるオーブントースタであって、ケース内の加熱室の床壁側に棒状のヒータが左右に延びる形態で設置されており、この加熱室において前記ヒータの上方に、前記ドアの開閉に連動して前方向に水平移動する金属製の線材を平面形状が略四角形の支持枠と、この支持枠に対して前後方向および左右方向に位置決めした状態で水平姿勢にして載置した棚板を備え、前記棚板は、金属の線材を平織したメッシュシートで形成したことを特徴とするオーブントースタ。　
【請求項２】　前記棚板の前後部には下方に向けて前足片と後足片を設け、前記前足片と後足片を支持枠に当接させて棚板の位置決めを行う請求項１に記載のオーブントースタ。
【請求項３】　前後棚板のメッシュシートの外周縁部を枠体により支持し、この枠体は、前記メッシュシートの外周縁部に上方から固着する第１枠体と、メッシュシートの外周縁部に下方から固着する第２枠体とからなる請求項１に記載のオーブントースタ。
【請求項４】　前記第１枠体は中央が四角形状にくりぬかれた金属製の平板により構成し、前記第２枠体は平面視矩形状に折り曲げ形成された金属線材により形成した請求項１、３に記載のオーブントースタ。
【請求項５】　前記メッシュシートは、メッシュを構成する線材の直径がφ０．４ｍｍ以上の大きさの線材を用いて目数を３．０メッシュ以上とした請求項１に記載のオーブントースタ。
【請求項６】　前記棚板は、支持枠に対して着脱自在に設けられ、前記ドアの開放時に加熱室の外部に引き出される請求項１に記載のオーブントースタ。」
は、
「【請求項１】　ケースの前面にドアが開閉自在に取り付けられるオーブントースタであって、ケース内の加熱室の空間に上下一対の棒状のヒータが左右に延びる形態で設置されており、この加熱室の略中間部に配置され前記ドアの開閉に連動して前方向に水平移動する金属製の線材により形成した平面形状が略四角形の支持枠と、この支持枠に対して前後方向および左右方向に位置決めした状態で水平姿勢にして載置した棚板を備え、前記棚板は、金属の線材を平織したメッシュシートで形成したことを特徴とするオーブントースタ。
【請求項２】　前記棚板の前後部には下方に向けて前足片と後足片を設け、前記前足片と後足片を支持枠に当接させて棚板の位置決めを行うことを特徴とする請求項１に記載のオーブントースタ。
【請求項３】　前後棚板のメッシュシートの外周縁部に枠体により支持し、この枠体は、前記メッシュシートの外周縁部に上方から固着する第１枠体と、メッシュシートの外周縁部に下方から固着する第２枠体とからなり、メッシュシートの外周端縁を第１枠体の外周より若干内側に位置した請求項１に記載のオーブントースタ。
【請求項４】　前記第１枠体は中央が四角形状にくりぬかれた金属製の平板により構成し、前記第２枠体は平面視矩形状に折り曲げ形成された金属線材により形成し、メッシュシートの上部を第１枠体により支持し、メッシュシートの下部を第２枠体により支持した請求項１、３に記載のオーブントースタ。
【請求項５】　前記メッシュシートは、メッシュを構成する線材の直径がφ０．４ｍｍ以上の大きさの線材を使用し隣り合う線材の間隔を１インチ間に形成される目数を３．０メッシュ以上とした請求項１に記載のオーブントースタ。
【請求項６】　前記棚板は、支持枠に対して着脱自在に設けられ、前記ドアの開放時に加熱室の外部に水平方向に引き出される請求項１に記載のオーブントースタ。」
と補正された。
　
　請求項１の補正は、原請求項１に記載した発明の構成要件である「棒状のヒータ」について、加熱室の床壁側に設置されるとしていたものにさらに限定を加えて、加熱室の空間に上下一対設置されるとするとともに、発明の構成要件である「支持枠」の配置位置について、ヒータの上方であるとしていたものにさらに限定を加えて、加熱室の略中間部に配置するとするものであり、請求項３の補正は、原請求項３に記載した発明の構成要件である「メッシュシート」について、その外周端縁が第１枠体の外周より若干内側に位置したとの限定を付加するものであり、請求項４の補正は、原請求項４に記載した発明の構成要件である「メッシュシート」について、その上部を第１枠体により支持し、その下部を第２枠体により支持したとの限定を付加するものであり、さらに、請求項５の補正は、原請求項５に記載した発明の構成要件である「メッシュシートの目数３．０メッシュ以上」が、１インチ間に形成される目数であるとの限定を付加するものであり、いずれも特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項の規定により準用する同法第１２６条第５項の規定に適合するか）について、以下に検討する。
　
（２）引用例
　本願の出願前国内において頒布された刊行物である、特開２０００−３２９３５４号公報（以下、「引用文献」という。）には、次の事項が図面とともに記載されている。
　
「【００１７】図中、Ａはオーブントースタの全体を示している。このオーブントースタＡのケース１の前面には、ドア２の底辺がケース１に対してヒンジ結合されており、ドア２が前倒し形態で開閉可能に取り付けられている。そして、ケース１内の加熱室３には、加熱対象が載せられる焼網４が、ドア２の開閉に連動して、ほぼ水平姿勢で出し入れ可能に配設されている。
【００１８】なお、加熱室３は、ケース１の左右側壁に対して所要間隙を介して設置される左右反射板５，５と、ケース１の奥壁から天井壁に対して所要間隙を介して設置される奥反射板６とにより形成されており、これらの反射板５，６により囲まれる空間に、上下一対のヒータ７Ａ，７Ｂが設けられている。
【００１９】この実施形態では、ドア２の開閉に連動させて焼網４を自動的に出し入れするとともにドア２の開き角度を規制するようにしていることに特徴がある。
【００２０】すなわち、ドア２の内面両端に設けられる係止片２ａ，２ａと、加熱室３の左右反射板５，５に設けられる部分円弧形状のカム状長孔１０，１０とに対して、下記する支持棒１１を架設させるようにし、この支持棒１１に対して上記焼網４を前後方向および左右方向に位置決めした状態で載せている。
・・・・・・
【００２３】焼網４は、ステンレス鋼製の線材を屈曲して矩形状に形成された枠部４ａの対向する前後二辺間に、複数のステンレス鋼製の線材４ｂをストライプ模様に架設した構成になっている。」（第３頁第４欄１８〜４９行）
　
「（４）　上記支持棒１１について、図１１に示すように、その奥側に、左右延在部分を設けることにより、焼網４の設置安定性を高めるようにすることができる。特に、図１１の例では、支持棒１１をほぼＵ字形の本体部１１ａと、その自由端側に接合されるＩ字形の補助部１１ｄとで構成し、補助部１１ｄの両端に、Ｌ字形の第１屈曲部１１ｂ，１１ｂを設けるようにしている。」（第４頁第６欄４４〜５０行）
　
　上記記載および図面より、引用文献には、次の発明（以下、「引用例発明」という。）が記載されている。
　
「ケース１の前面にドア２が開閉自在に取り付けられるオーブントースタであって、ケース内の加熱室３の空間に上下一対の棒状のヒータ７Ａ、７Ｂが左右に延びる形態で設置されており、この加熱室の略中間部であって、かつ、一対のヒータの中間部に配置され前記ドアの開閉に連動して前方向に水平移動する金属製の線材により形成した平面形状が略四角形の支持棒１１と、この支持棒に対して前後方向および左右方向に位置決めした状態で水平姿勢にして載置した焼網４を備え、前記焼網は、ステンレス鋼製の線材を屈曲して矩形状に形成された枠部４ａの対向する前後二辺間に、複数のステンレス鋼製の線材４ｂをストライプ模様に架設して形成したことを特徴とするオーブントースタ。」
　
（３）対比・判断                                   
　本願補正発明と引用例発明とを対比すると、引用例発明の「支持棒１１」は、本願補正発明の「支持枠」に相当し、同様に、「焼網４」は「棚板」に、相当するから、
　両者は、
「ケースの前面にドアが開閉自在に取り付けられるオーブントースタであって、ケース内の加熱室の空間に上下一対の棒状のヒータが左右に延びる形態で設置されており、この加熱室の略中間部に配置され前記ドアの開閉に連動して前方向に水平移動する金属製の線材により形成した平面形状が略四角形の支持枠と、この支持枠に対して前後方向および左右方向に位置決めした状態で水平姿勢にして載置した棚板を備え、前記棚板は、金属の線材で形成したことを特徴とするオーブントースタ。」
である点で一致し、次の点で相違している。
　
［相違点］棚板を、本願補正発明では、金属の線材を平織したメッシュシートで形成したのに対して、引用例発明では、ステンレス鋼製の線材を屈曲して矩形状に形成された枠部４ａの対向する前後二辺間に、複数のステンレス鋼製の線材をストライプ模様に架設して形成した点。
　
  上記相違点について検討すると、オーブントースタの棚板を金属製のメッシュシートで形成したものは従来周知である（例えば、実願昭６３−１５０９７９号（実開平２−７０１１０号）のマイクロフィルム、実願昭５８−２８４２６号（実開昭５９−１３３１４０号）のマイクロフィルム、実願昭５８−２８３６４号（実開昭５９−１３３１３５号）のマイクロフィルム、実願昭５７−１９７８７２号（実開昭５９−９８８３４号）のマイクロフィルム参照。）し、調理用の焼き網を金属の線材を平織したメッシュシートで形成することも従来周知の事項である（例えば、特開２０００−３０８５８１号公報の段落【０００４】、実願昭５５−７１５２９号（実開昭５６−１７３１３０号）のマイクロフィルム参照。）から、引用例発明において、棚板を金属の線材を平織したメッシュシートで形成して本願補正発明の構成とすることは、当業者が容易に想到し得たことである。
　
　そして、本願補正発明の効果は、引用文献に記載された発明および周知の事項から予測し得る程度のものであって、格別のものではない。
　
　よって、本願補正発明は、本願の出願前に国内において頒布された引用文献に記載された発明および従来周知の事項に基づいて当業者が容易に発明をすることができたものであり、特許法第２９条第２項の規定により特許出願の際独立して特許を受けることができないものである。
　
（４）むすび
　以上のとおり、本件補正は、特許法第１７条の２第５項の規定により準用する特許法第１２６条第５項の規定に違反してなされたものであり、特許法第１５９条第１項の規定により読み替えて準用する特許法第５３条第１項の規定により却下すべきものである。
　
３．本願発明について
　平成１７年２月３日付の手続補正は上記のとおり却下されたので、本願の請求項１に係る発明（以下、同項記載の発明を「本願発明」という。）は、平成１６年７月２日付の手続補正で補正された明細書の特許請求の範囲の請求項１に記載された次のとおりのものである。
　
「【請求項１】　ケースの前面にドアが開閉自在に取り付けられるオーブントースタであって、ケース内の加熱室の床壁側に棒状のヒータが左右に延びる形態で設置されており、この加熱室において前記ヒータの上方に、前記ドアの開閉に連動して前方向に水平移動する金属製の線材を平面形状が略四角形の支持枠と、この支持枠に対して前後方向および左右方向に位置決めした状態で水平姿勢にして載置した棚板を備え、前記棚板は、金属の線材を平織したメッシュシートで形成したことを特徴とするオーブントースタ。」
　
（１）引用例
　原査定の拒絶の理由に引用された引用文献、および、その記載事項は、前記「２．（２）」に記載したとおりである。
　
（２）対比・判断
　本願発明は、前記２．で検討した本願補正発明から、「棒状のヒータ」についての限定事項である加熱室の空間に上下一対設置されるとの構成を省いて、加熱室の床壁側に設置されるとするとともに、「支持枠」の配置位置についての限定事項である加熱室の略中間部とするとの構成を省いて、ヒータの上方であるとしたものである。
  しかしながら、加熱室の床壁側に棒状のヒータを配置する点、および、ヒータの上方に支持枠を配置する点はいずれも引用例発明が備えているから、本願発明と引用例発明とは、先に検討した本願補正発明と引用例発明との相違点と同一の点でのみ相違することになる。
　そうすると、本願補正発明が、前記「２．（３）」に記載したとおり、引用文献に記載された発明および周知の事項に基づいて、当業者が容易に発明をすることができたものであるから、本願発明も、同様の理由により、引用文献に記載された発明および周知の事項に基づいて、当業者が容易に発明をすることができたものである。
　
（３）むすび
　以上のとおり、本願発明は、引用文献に記載された発明および従来周知の事項に基づいて、当業者が容易に発明をすることができたものであるから、特許法第２９条第２項の規定により特許を受けることができない。
　
　よって、結論のとおり審決する。